(57)【要約】【課題】  安いコストで常時監視を行える常時監視システムを提供する。  【解決手段】  監視依頼者側機器10と、監視センター12と、緊急情報センター14を、インターネット16で接続する。監視センター12を人件費の安い地域に設置する。監視依頼者側10では、監視カメラ18で撮影した画像をインターネット16経由で監視センター12に送る。監視センター12では、送られてきた画像を監視画像記録部26に記録すると共に、監視画像表示部28に表示して、各監視カメラ18毎の異常発生の有無を常時監視し、異常が発見された場合には監視画像記録部26から異常発生時の画像を読み出してインターネット16経由で緊急情報センター14に送ると共に、当該異常が発見された監視依頼者の受信端末22に異常発生情報を送る。緊急情報センター14では、送られてきた画像を異常画像記録部34に記録すると共に、異常画像表示部36に表示し、監視依頼者と情報交換する。【選択図】  図１
2006154883.tif 000002
【特許請求の範囲】
【請求項１】
監視依頼者側に設置された監視カメラ及び受信端末と、監視センターに設置された監視画像記録部及び監視画像表示部と、緊急情報センターに設置された異常画像記録部及び異常画像表示部とをインターネットを介して接続し、
監視依頼者側では、監視カメラで撮影した画像をインターネット経由で監視センターに送り、
監視センターでは、送られてきた画像を監視画像記録部に記録すると共に、監視画像表示部に表示して、各監視カメラ毎に異常発生の有無を常時監視し、異常が発見された場合には監視画像記録部から異常発生時の画像を読み出してインターネット経由で緊急情報センターに送ると共に、当該異常が発見された監視依頼者の受信端末に異常発生情報を送り、
緊急情報センターでは、送られてきた画像を異常画像記録部に記録すると共に、異常画像表示部に表示する、
ことを特徴とする常時監視システム。
【請求項２】
監視依頼者側に設置された監視カメラ及び受信端末と、監視センターに設置された監視画像記録部及び監視画像表示部と、緊急情報センターに設置された異常画像記録部及び異常画像表示部とをインターネットを介して接続し、
監視依頼者側では、監視カメラで撮影した画像をインターネット経由で監視センターに送り、
監視センターでは、送られてきた画像を監視画像記録部に記録すると共に、監視画像表示部に表示して、各監視カメラ毎に異常発生の有無を常時監視し、異常が発見された場合には監視画像記録部から異常発生時の画像を読み出してインターネット経由で緊急情報センターに送り、
緊急情報センターでは、送られてきた画像を、異常画像記録部に記録し、異常画像表示部に表示すると共に、当該異常が発見された監視依頼者の受信端末に異常発生情報を送る、
ことを特徴とする常時監視システム。
【請求項３】
請求項１又は２記載の常時監視システムであって、監視センターは監視依頼者の所在地域よりも人件費の安い地域に設けられ、緊急情報センターは監視依頼者の所在地域に設けられていることを特徴とする常時監視システム。
【請求項４】
請求項３記載の常時監視システムであって、監視センターには異常発生情報を監視依頼者の母国語で送る手段が設けられていることを特徴とする常時監視システム。
【請求項５】
請求項１ないし４のいずれかに記載の常時監視システムであって、監視依頼者の受信端末は画像表示部を備えており、監視センター又は緊急情報センターから送られてきた異常発止時の画像を表示できるようになっていることを特徴とする常時監視システム。
【請求項６】
請求項１ないし５のいずれかに記載の常時監視システムであって、監視センターには、同センター内の監視員を監視する補助監視カメラが設置され、監視センターとは異なる場所に前記補助監視カメラで撮影された画像を表示するモニターが設置されていることを特徴とする常時監視システム。
【請求項７】
請求項１ないし６のいずれかに記載の常時監視システムであって、監視センターにおける画像の監視は、監視画像に異常が発生したことの検出を画像認識解析ソフトウエアで行い、このソフトウエアで異常を検出したときは、監視画像記録部から所定時間前にタイムスリップした画像を読み出して監視員が確認することを特徴とする常時監視システム。
【請求項８】
請求項１ないし７のいずれかに記載の常時監視システムであって、監視画像記録部に記録する画像にタイムスタンプを付けることを特徴とする常時監視システム。
【請求項９】
請求項８記載の常時監視システムであって、監視センターの監視画像記録部は、監視画像に異常がなく同一画像が所定時間以上連続する場合には、所定時間連続する同一画像の記録を消去するようになっていることを特徴とする常時監視システム。
【請求項１０】
請求項１ないし９のいずれかに記載の常時監視システムであって、監視依頼者側の送受信端末をパソコンで構成し、常時監視システムに接続されたホストコンピュータからの制御により各パソコンの記憶部を監視画像記録部の一部として使用することを特徴とする常時監視システム。
【請求項１１】
請求項１０記載の常時監視システムであって、監視依頼者のパソコンを監視画像の記録に使用したときは、当該パソコンの使用時間及び／又は使用記録容量に応じたポイントを監視依頼者に与え、蓄積されたポイントに応じた対価を支払うようにすることを特徴とする常時監視システム。
【発明の詳細な説明】
【技術分野】
【０００１】
本発明は、監視カメラで撮影した画像をインターネット経由で常時監視するシステムに関するものである。
【背景技術】
【０００２】
最近の治安の悪化は深刻な社会問題であり、それに対処するため監視カメラの利用が増えている。例えば特許文献１には、監視領域に設置したセンサが異常を検知したときに監視カメラで撮影した画像を監視センターに送って監視員が異常を確認するシステムが開示されている。
【０００３】
【特許文献１】特開２００２−１３３５５７号公報
【発明の開示】
【発明が解決しようとする課題】
【０００４】
しかしながら特許文献１に開示された監視システムは、建物等への不審者の侵入を監視することはできるが、店舗での商品の万引き等を監視することはできない。
【０００５】
監視カメラを使用した従来の監視システムは、監視カメラで撮影した画像を監視員が常時監視している場合は少なく、上記画像をビデオテープに録画しておき、事件が起きた後に録画した画像を解析等に利用するのが一般的である。常時監視が少ない理由としては、常時監視に要する人件費が高いことや、総合的な常時監視システムの構築にコストがかかること等があげられる。
【０００６】
本発明の目的は、比較的安いコストで常時監視を行える常時監視システムを提供することにある。
【課題を解決するための手段】
【０００７】
本発明に係る常時監視システムは、監視依頼者側に設置された監視カメラ及び受信端末と、監視センターに設置された監視画像記録部及び監視画像表示部と、緊急情報センターに設置された異常画像記録部及び異常画像表示部とをインターネットを介して接続し、
監視依頼者側では、監視カメラで撮影した画像をインターネット経由で監視センターに送り、
監視センターでは、送られてきた画像を監視画像記録部に記録すると共に、監視画像表示部に表示して、各監視カメラ毎に異常発生の有無を常時監視し、異常が発見された場合には監視画像記録部から異常発生時の画像を読み出してインターネット経由で緊急情報センターに送ると共に、当該異常が発見された監視依頼者の受信端末に異常発生情報を送り、
緊急情報センターでは、送られてきた画像を異常画像記録部に記録すると共に、異常画像表示部に表示する、
ことを特徴とするものである。
【０００８】
また本発明に係る常時監視システムは、監視依頼者側に設置された監視カメラ及び受信端末と、監視センターに設置された監視画像記録部及び監視画像表示部と、緊急情報センターに設置された異常画像記録部及び異常画像表示部とをインターネットを介して接続し、
監視依頼者側では、監視カメラで撮影した画像をインターネット経由で監視センターに送り、
監視センターでは、送られてきた画像を監視画像記録部に記録すると共に、監視画像表示部に表示して、各監視カメラ毎に異常発生の有無を常時監視し、異常が発見された場合には監視画像記録部から異常発生時の画像を読み出してインターネット経由で緊急情報センターに送り、
緊急情報センターでは、送られてきた画像を、異常画像記録部に記録し、異常画像表示部に表示すると共に、当該異常が発見された監視依頼者の受信端末に異常発生情報を送る、
ことを特徴とするものであってもよい。
【０００９】
本発明の常時監視システムにおいて、監視センターは監視依頼者の所在地域よりも人件費の安い地域に設けられ、緊急情報センターは監視依頼者の所在地域に設けられることが好ましい。
【００１０】
また本発明の常時監視システムにおいて、監視センターには異常発生情報を監視依頼者の母国語で送る手段が設けられていることが好ましい。
【００１１】
また本発明の常時監視システムであって、監視依頼者の受信端末は画像表示部を備えており、監視センター又は緊急情報センターから送られてきた異常発止時の画像を表示できるようになっていることが好ましい。
【００１２】
また本発明の常時監視システムにおいて、監視センターには、同センター内の監視員を監視する補助監視カメラが設置され、監視センターとは異なる場所に前記補助監視カメラで撮影された画像を表示するモニターが設置されていることが好ましい。
【００１３】
また本発明の常時監視システムにおいて、監視センターにおける画像の監視は、監視画像に異常が発生したことの検出を画像認識解析ソフトウエアで行い、このソフトウエアで異常を検出したときは、監視画像記録部から所定時間前にタイムスリップした画像を読み出して監視員が確認することが好ましい。
【００１４】
また本発明の常時監視システムにおいては、監視画像記録部に記録する画像にタイムスタンプを付けることが好ましい。
【００１５】
また本発明の常時監視システムにおいて、監視センターの監視画像記録部は、監視画像に異常がなく同一画像が所定時間以上連続する場合には、所定時間連続する同一画像の記録を消去するようになっていることが好ましい。
【００１６】
また本発明の常時監視システムは、監視依頼者側の送受信端末をパソコンで構成し、常時監視システムに接続されたホストコンピュータからの制御により各パソコンの記憶部を監視画像記録部の一部として使用することが好ましい。
【００１７】
また本発明の常時監視システムにおいて、監視依頼者のパソコンを監視画像の記録に使用したときは、当該パソコンの使用時間及び／又は使用記録容量に応じたポイントを監視依頼者に与え、蓄積されたポイントに応じた対価を支払うようにすることが好ましい。
【発明の効果】
【００１８】
多数の監視カメラから送られてくる画像を常時監視するには、多数の監視員を配備する必要があるが、本発明では、常時監視して異常を発見する監視センターと、異常が発見された後の処理を行う緊急情報センターとを別に設けたので、多数の監視員を必要とする監視センターを人件費の安い地域（例えば外国）に設置することが可能となり、安いコストで常時監視を行うことができる。一方、緊急情報センターは監視依頼者の所在地域（国内）に設けておくことにより、異常発生後の監視依頼者との情報交換をスムーズに行うことができ、監視依頼者に質の高いサービスを提供できる。
【００１９】
また、監視センターを外国に設置する場合には、監視センターに異常発生情報を監視依頼者の母国語で送る手段を設けることにより、言語によるシステム運用の障害を解消することができる。
【００２０】
また、監視依頼者の受信端末に監視センター又は緊急情報センターから送られてくる異常発生時の画像を表示できるようにしておけば、監視依頼者はその画像から何処でどのような異常が発生したのかを正確に把握でき、迅速な対応をとることができる。
【００２１】
また、画像を常時監視する監視員を監視する補助監視カメラを設置しておけば、監視員が病気で倒れたり、いねむりをしたりしたときに、いち早く対処することができ、常時監視の信頼性を高めることができる。
【００２２】
また、監視対象の撮影画像が、正常時には変化せず、異常が発生すると変化するようなものである場合には、異常が発生したことの検出を画像認識解析ソフトウエアで行い、このソフトウエアで異常を検出したときは、監視画像記録部から所定時間前にタイムスリップした画像を読み出して監視員が確認するようにすれば、監視員の負担を軽減することができる。
【００２３】
また、監視画像記録部に記録する画像にタイムスタンプを付けると、異常発見後に画像を再生したときに異常発生の時刻を表示することができ、異常発生の状況をより正確に把握することができる。
【００２４】
また、同一画像が所定時間以上連続するときは、連続する同一画像の記録を消去するようにすれば、監視画像記録部の記録容量を節約することができる。一部の画像の記録を消去しても、記録する画像にタイムスタンプを付けておけば、再生時に時刻を確認することは可能である。同一画像が所定時間以上連続することは、前述の画像認識解析ソフトウエアで検出することができる。
【００２５】
また、監視依頼者側の受信端末をパソコンで構成し、常時監視システムに接続されたホストコンピュータからの制御により各パソコンの記憶部を監視画像記録部の一部として使用すれば、監視画像記録部の記憶容量を節約することができる。この場合、監視依頼者のパソコンの記憶部は監視画像記録部の一部として使用されるので、当該監視依頼者の監視カメラで撮影した画像が記録されるとは限らない。
【００２６】
また、監視依頼者のパソコンを監視画像に記録に使用したときは、当該パソコンの使用時間及び／又は使用記録容量に応じたポイントを監視依頼者に与え、蓄積されたポイントに応じた対価を支払うようにすることが好ましい。対価は必ずしも現金の支払いでなくてもよく、毎月の監視料金の割引などであってもよい。このようにすれば、監視依頼者とシステム運用者の双方に利益をもたらすことができる。
【発明を実施するための最良の形態】
【００２７】
図１は本発明に係る常時監視システムの一実施形態を示す。図において、１０は監視を監視業者に依頼する側に設けられる機器、１２は監視依頼に基づき常時監視を行う監視センター、１４は監視センター１２で異常を発見した後の対応をとる緊急情報センターである。監視依頼者側の機器１０と、監視センター１２と、緊急情報センター１４はインターネット１６を介して接続されている。監視センター１２及び緊急情報センター１４は監視依頼を受ける業者が管理するが、監視センター１２は多数の監視員を配置する必要があるため人件費の安い地域（例えば東南アジアの国）に設置し、緊急情報センター１４は監視依頼者との情報交換をスムーズに行うため監視依頼者の所在地域（例えば国内）に設置する。
【００２８】
監視依頼者側の機器１０は、監視領域を撮影する監視カメラ１８、インターネット１６を介して通信を行う通信制御部２０、監視センター１２又は緊急情報センター１４から送られてくる画像を表示する画像表示部２２等から構成されている。１単位の監視依頼者に設置される監視カメラ１８の台数は、１台の場合もあるし、複数台の場合もある。監視カメラ１８で撮影された画像は、エンコード部（図示省略）で所定の形式（例えばＭＰＥＧ形式等）に圧縮して、インターネット１６経由で監視センター１２に送られる。監視センター１２又は緊急情報センター１４から送られてくる画像は、圧縮されているので、デコード部（図示省略）で解凍して画像表示部２２に表示される。画像表示部２２は監視依頼者が持つ受信端末の代表的な形態であり、他の受信端末例えば電話やＦＡＸ等と併用してもよい。
【００２９】
監視センター１２には、通信制御部２４と、多数の監視カメラ１８から送られてくる圧縮画像を記録する監視画像記録部２６と、各々の圧縮画像を解凍して表示する多数の監視画像表示部２８が設置されている。監視画像表示部２８には監視員３０がついていて各監視カメラ毎に異常発生の有無を常時監視する。監視画像表示部２８は画面を複数に分割して、１台の監視画像表示部２８に複数台の監視カメラ１８からの画像を表示できるようにすることが好ましい。常時監視で異常（侵入者、万引き等）が発見された場合には、監視画像記録部２６から異常発生時の画像（所定時間前にタイムスリップした画像）を読み出して、インターネット経由で緊急情報センター１４に送ると共に、当該異常が発見された監視依頼者側機器１０に送る。監視依頼者側は画像表示部２２に表示された画像から何処でどのような異常が発生したかを把握することができ、迅速な対応をとることができる。
【００３０】
また緊急情報センター１４には、通信制御部３２と監視センター１２から送られてきた異常発生時の画像を記録する異常画像記録部３４と、その異常画像を表示する異常画像表示部３６が設置されている。緊急情報センター１４の連絡員３８は、異常画像表示部３６に表示される異常発生時の画像を見て、監視依頼者と必要な情報交換を行う。緊急情報センター１４は監視依頼者の所在国に設置されているので、監視依頼者との情報交換は支障なく行うことができる。
【００３１】
ところで、監視センター１２で異常が発見された場合には、監視依頼者へ、異常発生時の画像と共に、異常発生のメッセージを送ることが好ましい。しかし監視センター１２が外国に設置されている場合、監視員３０は監視依頼者の母国語（日本語）を使えないのが普通であるから、言語の問題が生じる。この問題を回避するには、予め定めた監視依頼者の母国語によるメッセージを、システムを制御するコンピュータのメモリーに登録しておき、監視員３０が選択キーを操作して該当するメッセージを自動的に送信できるようにしておくとよい。なお、監視依頼者がメッセージを受信する機器は、携帯電話、パソコン、ＦＡＸ、ＰＤＡ端末等、メッセージを受信できるものであれば何でもよい。
【００３２】
なお上記の実施形態では、監視センター１２から直接、監視依頼者側機器１０に異常発生時の画像やメッセージを送る場合を説明したが、監視依頼者への異常発生時の画像やメッセージは緊急情報センター１４から送ることも可能である。この場合は、監視依頼者との間で言語の問題が生じることはない。
【００３３】
また、監視センター１２には監視員３０の状態を撮影する補助監視カメラ４０が設置され、この補助監視カメラ４０で撮影された画像は監視センター１２とは別室の監視室４２に設置されたモニター４４に表示され、その画像を補助監視員４６が監視するようになっている。このようにすると、監視センター１２内の監視員３０が病気で倒れたり、監視センター１２内に異常が発生したりしたときに、いち早く対応することができ、常時監視の信頼性を高めることができる。
【００３４】
また、監視センター１２における画像の監視は、画像認識解析ソフトウエアによる異常検出と、監視員３０による監視を併用して行うこともできる。すなわち、監視画像に異常が発生したことの検出は画像認識解析ソフトウエアで行い、このソフトウエアで異常を検出したときは、監視画像記録部２６から所定時間前にタイムスリップした画像を読み出して監視員３０が確認するようにするのである。このようにすれば監視員３０の負担を軽減することができる。
【００３５】
画像認識解析ソフトウエアを利用する場合は、図２に示すように、異常がないときは監視画像表示部２８に小さなアイコン４８で表示し、異常発生時には、自動的に拡大した画面５０で表示するようにすることが好ましい。このようにすると、異常発生時に監視員がいち早く対応することができると共に、監視画像表示部の節約、監視人員の節約に効果がある。
【００３６】
また、監視センター１２の監視画像記録部２６に記録する画像にはタイムスタンプを付けておくことが好ましい。タイムスタンプを付けておけば、異常が発見された後、所定時間前にタイムスリップして画像を確認するときに、異常発生の時刻を正確に知ることができる。
【００３７】
また、監視センター１２の監視画像記録部２６は、監視画像に異常がなく同一画像が所定時間以上連続する場合には、所定時間連続する同一画像の記録を消去するようにするとよい。監視画像記録部２６には膨大な量の画像が記録されるので、不必要な記録を消去するようにすれば、監視画像記録部２６の記憶容量を節約することができる。また、このように画像を間引いた場合でも、タイムスタンプを付けておけば、再生時にタイムスタンプの付いた連続画像として復元表示でき、画像撮影時刻を確認できる。
【００３８】
また、監視依頼者側に設置する監視カメラ１８は、図３に示すように、画像圧縮部５２や通信制御部５４などの情報機器と一体化して小型化し、直接インターネットに接続できるようにすることが好ましい。具体的には、ＭＰＥＧ形式（ＭＰＥＧ２又はＭＰＥＧ４など）に画像圧縮するエンコーダチップを、ＤＳＰなどを用いて部品化し、無線又はケーブルを用いてインターネットに接続できるインターフェイス機能を監視カメラ１８に組み込むのである。さらに、監視カメラ１８にマイク５６とスピーカ５８を組み込み、音声入出力インターフェイス部６０を介してインターネットに接続してもよい。このようにすると、画像と一緒に音声を取り込むことができ、一方、異常発見の際には、監視カメラ１８から直接音声で警告を発することができる。
【００３９】
また、インターネットに接続できる機能を備えた小型監視カメラを用いると、このカメラを人間に装着して、ＰＨＳ等の無線機能によりインターネットに常時接続しておくことにより、その人間が行動する周辺の画像が撮影でき、その人間の行動範囲を監視センターで常時監視することができる。この場合は小型監視カメラにＧＰＳによる位置情報検出機能を付加するとよい。このシステムは、危険な場所へ行くときの防犯対策、老人や児童の安全対策など応用面が広く、そのセキュリティ効果は大である。
【００４０】
また、インターネットに接続できる機能を備えた小型監視カメラを自動車に搭載すれば、自動車の走行と共に撮影される画像を監視センターで常時監視することができる。自動車に搭載するドライブレコーダは既に実用化されているが、これは事故前後の数十秒間の画像を記録するもので、人間による常時監視はできない。インターネットに接続できる機能を備えた小型監視カメラを自動車に搭載すれば、自動車が走行する周辺の画像を監視センターで監視員が常時監視できるので、衝突などの事故以外にも、車内の緊急事態にも対応できるし、運送業の効率化にも役立つなど、その効果は多岐にわたる。
【００４１】
また、監視カメラ及びインターネット接続用情報機器を自動販売機に組み込んでおけば、自動販売機を対象とする犯罪の防止に役立つだけでなく、インターネットを利用して自動販売機内の商品の在庫や売上げの管理も行えるという効果もある。さらに液晶ディスプレイを備えれば、広告情報等の動画像を常時監視システムのホストコンピュータから送信し、表示させることができる。
【００４２】
また、この常時監視システムで、例えば工場内の工作機械等を監視する場合には、監視領域に集音マイクを設置しておいて、集音マイクに入った音を監視センターに送って常時検査することにすれば、工作機械等が不具合時に発生する音からも工作機械に異常が発生したことを検出することができる。
【００４３】
なお、以上のような常時監視システムにおいて、どのような場合でも常時監視が途絶えないようにするためには、複数のインターネット接続業者（プロバイダ）と契約し、回線のバックアップを強化すると共に、監視画像記録サーバを複数個置き、所定時間遅れで圧縮監視画像のバックアップをとるようにすることが好ましい。
【００４４】
図４は本発明に係る常時監視システムの他の実施形態を示す。この実施形態が図１の実施形態と異なる点は、監視依頼者側機器１０の送受信端末をパソコン６２で構成し、常時監視システムに接続されたホストコンピュータ６４からの制御により各パソコン６２の記憶部を監視センター１２の監視画像記録部２６の一部として使用するものである。パソコン６２はインターネット用の通信制御部、画像圧縮部及び画像表示部等を備えているので、監視依頼者側の送受信端末として好適である。このパソコン６２の記憶部（外部記憶装置等）を監視画像記録部２６の一部として使用すれば、監視センターの監視画像記録部２６の容量を節約できる。監視依頼者のパソコン６２の記憶部を監視画像記録部２６の一部として使用する場合には、監視画像を監視センターの監視画像記録部２６に記録するか、パソコン６２の記憶部に記録するかの選択、制御は、常時監視システム全体を統括するホストコンピュータ６４によって行われる。
【００４５】
また、監視依頼者のパソコン６２を監視画像に記録に使用したときは、当該パソコン６２の使用時間及び／又は使用記録容量に応じたポイントを監視依頼者に与え、蓄積されたポイントに応じた対価を支払うようにすることが好ましい。このようにすれば、監視依頼者とシステム運用者の双方に利益をもたらすことができる。
【００４６】
また、監視依頼者のパソコンを送受信端末として利用できるようにすると、当該パソコンの空き時間に、ホストコンピュータ６４からの制御により、バックエンドジョブを行わせることも可能である。この場合も監視依頼者に使用時間等に応じたポイントを与えるようにするとよい。
【００４７】
さらに、監視依頼者のパソコン６２を送受信端末として利用できるようにすると、所要台数のパソコンをインターネットで接続して、全体としてグリッドコンピュータとしての機能をもたせ、ホストコンピュータ６４からの制御によりスーパーコンピュータとして利用することも可能となる。
【００４８】
上記以外の構成やシステム運用は図１に示した実施形態と同じであるので、同一部分に同一符号を付して説明を省略する。
【図面の簡単な説明】
【００４９】
【図１】本発明に係る常時監視システムの一実施形態を示すブロック図。
【図２】監視画像表示部の表示の仕方の一例を示す説明図。
【図３】情報機器を一体化した小型監視カメラの一例を示す説明図。
【図４】本発明に係る常時監視システムの他の実施形態を示すブロック図。
【符号の説明】
【００５０】
１０：監視依頼者側機器
１２：監視センター
１４：緊急情報センター
１６：インターネット
１８：監視カメラ
２０：通信制御部
２２：画像表示部
２４：通信制御部
２６：監視画像記録部
２８：監視画像表示部
３０：監視員
３２：通信制御部
３４：異常画像記録部
３６：異常画像表示部
３８：連絡員
４０：補助監視カメラ
４２：監視室
４４：モニター
４６：補助監視員
４８：アイコン
５０：拡大表示
５２：画像圧縮部
５４：通信制御部
５６：マイク
５８：スピーカ
６０：音声入出力インターフェイス
６２：パソコン
６４：ホストコンピュータ
【図１】
2006154883.tif 000003
【図２】
2006154883.tif 000004
【図３】
2006154883.tif 000005
【図４】
2006154883.tif 000006